(57)【特許請求の範囲】
【請求項１】
容器本体と、該容器本体にヒンジを介して連結された開閉可能な蓋体と、を備え、
前記容器本体に、化粧料が充填された中皿を脱着可能に収納する中皿収納部と、前記化粧料を塗布するための塗布具を収納する塗布具収納部と、が並設されたコンパクト容器において、
前記中皿収納部と前記塗布具収納部との間には、前記中皿に対して係合して該中皿を保持する保持位置と、前記中皿に対して塗布具収納部側に離間して前記中皿の保持を解除する解除位置と、の間でスライド可能なスライド部材が配設されており、
該スライド部材には、
前記スライド部材のスライド方向に直交するスライド直交方向に延設され、前記保持位置において両端部が前記容器本体にそれぞれ係合して前記スライド部材の解除位置側へのスライドを規制する係合部材と、
該係合部材の両端部の前記容器本体に対する係合をそれぞれ解除して前記スライド部材の解除位置側へのスライドを許容させる解除機構と、
が備えられ、
前記係合部材は、前記スライド直交方向に間隔をあけて並設された一対の可動部と、該一対の可動部の間に介装されて該一対の可動部を前記スライド直交方向の外側に向けてそれぞれ付勢する付勢部と、を備え、
前記一対の可動部の前記スライド直交方向の外側の端部に、前記容器本体の被係合部に係合する係合部がそれぞれ設けられ、
前記一対の可動部の上面に、前記スライド直交方向の外側に向かって下向きに傾斜した傾斜面がそれぞれ形成され、
前記解除機構に、前記係合部材の上方に配設され前記係合部材に対して押し下げ操作可能な押下部が備えられ、該押下部に、該押下部の押し下げ操作に伴い前記一対の可動部の各傾斜面をそれぞれ押圧する突部が設けられ、
前記突部が前記一対の可動部の各傾斜面を押圧したときに、前記一対の可動部が、前記付勢部の付勢力に抵抗しながら前記スライド直交方向の内側に向かってそれぞれ移動することにより、前記一対の可動部における各係合部が、前記容器本体の被係合部から外れて、前記係合部材の前記容器本体に対する係合が解除されることを特徴とするコンパクト容器。
【発明の詳細な説明】
【技術分野】
【０００１】
本発明は、化粧品を収容するコンパクト容器に関するものである。
【背景技術】
【０００２】
この種のコンパクト容器としては、例えば下記特許文献１に示されているような、化粧料が充填された中皿とその化粧料を塗布するための塗布具（パフ等）とをそれぞれ収納する容器本体と、その容器本体にヒンジを介して連結された開閉可能な蓋体と、を備える構成が知られている。前記した容器本体には、中皿を収納する中皿収納部と塗布具を収納する塗布具収納部とが平面視において並べて配設されている。
【０００３】
また、上記した中皿は、交換可能なレフィルタイプの中皿であり、この中皿は中皿収容部に脱着可能に保持されている。また、容器本体の中皿収納部の底板には、指などが挿通可能な平面視矩形状の開口が形成されている。
【０００４】
上記したコンパクト容器では、中皿内の化粧料が使い終わったら、まず、上記した底板の開口から中皿の下面を指等で押圧して当該中皿を突き出し、中皿収納部から中皿を取り外す。その後、化粧料が充填された新たな中皿を中皿収納部に収納させる。これにより、中皿内の化粧料が使い終わってもコンパクト容器を繰り返し使用することができる。
【先行技術文献】
【特許文献】
【０００５】
【特許文献１】特開２０１０−７５２３９号公報
【発明の概要】
【発明が解決しようとする課題】
【０００６】
ところで、上記した従来のコンパクト容器では、容器本体の底板に開口が形成されているため、見栄えが悪いなどの問題がある。また、この問題を抑制するために、上記した開口を極力小さくする要望があるが、この開口を小さくすると、上述したように中皿を突き出す際に中皿の下面を押圧しにくくなり、中皿の取り出し時の操作性が低下するという問題が生じる。
【０００７】
本発明は、上記した従来の問題が考慮されたものであり、外観性及び中皿交換時の操作性の向上を図ることができるコンパクト容器を提供することを目的としている。
【課題を解決するための手段】
【０００８】
本発明に係るコンパクト容器は、容器本体と、該容器本体にヒンジを介して連結された開閉可能な蓋体と、を備え、前記容器本体に、化粧料が充填された中皿を脱着可能に収納する中皿収納部と、前記化粧料を塗布するための塗布具を収納する塗布具収納部と、が並設されたコンパクト容器において、前記中皿収納部と前記塗布具収納部との間には、前記中皿に対して係合して該中皿を保持する保持位置と、前記中皿に対して塗布具収納部側に離間して前記中皿の保持を解除する解除位置と、の間でスライド可能なスライド部材が配設されており、該スライド部材には、前記スライド部材のスライド方向に直交するスライド直交方向に延設され、前記保持位置において両端部が前記容器本体にそれぞれ係合して前記スライド部材の解除位置側へのスライドを規制する係合部材と、該係合部材の両端部の前記容器本体に対する係合をそれぞれ解除して前記スライド部材の解除位置側へのスライドを許容させる解除機構と、が備えられ、前記係合部材は、前記スライド直交方向に間隔をあけて並設された一対の可動部と、該一対の可動部の間に介装されて該一対の可動部を前記スライド直交方向の外側に向けてそれぞれ付勢する付勢部と、を備え、前記一対の可動部の前記スライド直交方向の外側の端部に、前記容器本体の被係合部に係合する係合部がそれぞれ設けられ、前記一対の可動部の上面に、前記スライド直交方向の外側に向かって下向きに傾斜した傾斜面がそれぞれ形成され、前記解除機構に、前記係合部材の上方に配設され前記係合部材に対して押し下げ操作可能な押下部が備えられ、該押下部に、該押下部の押し下げ操作に伴い前記一対の可動部の各傾斜面をそれぞれ押圧する突部が設けられ、前記突部が前記一対の可動部の各傾斜面を押圧したときに、前記一対の可動部が、前記付勢部の付勢力に抵抗しながら前記スライド直交方向の内側に向かってそれぞれ移動することにより、前記一対の可動部における各係合部が、前記容器本体の被係合部から外れて、前記係合部材の前記容器本体に対する係合が解除されることを特徴としている。
【０００９】
このような特徴により、当該コンパクト容器を使用する際には、スライド部材が保持位置に配置された状態において、係合部材の両端部を容器本体に係合させることで、スライド部材の解除位置側へのスライドが規制される。これにより、スライド部材が保持位置で固定され、中皿が中皿収納部内に保持される。
一方、当該中皿を交換する際には、まず、係合部材の両端部の容器本体に対する係合を解除機構によって解除する。これにより、スライド部材の解除位置側へのスライドが許容される。続いて、スライド部材を解除位置側にスライドさせる。これにより、スライド部材による中皿の保持が解除され、中皿が中皿収納部から取り出し可能となる。そして、中皿収納部から中皿を取り出した後、新しい中皿を中皿収納部に収納させ、その後、スライド部材を保持位置までスライドさせる。さらに、係合部材の両端部を容器本体にそれぞれ係合させ、スライド部材の解除位置側へのスライドを規制する。以上により、中皿の交換が完了する。
【００１１】
また、押下部を押し下げ操作すると、突部が一対の可動部の傾斜面を押圧する。
このとき、その押圧力によって、一対の可動部が、付勢部の付勢力に抵抗しながらスライド直交方向の内側に向かってそれぞれ移動する。これにより、一対の可動部の端部にそれぞれ設けられた係合部が容器本体の被係合部から外れて、係合部材の容器本体に対する係合が解除される。続いて、押下部を押し下げつつスライド部材を解除位置側にスライドさせることで、スライド部材による中皿の保持が解除される。
【発明の効果】
【００１２】
本発明に係るコンパクト容器によれば、容器本体の底板に開口を形成することなく、中皿を中皿収納部から取り外すことができるため、コンパクト容器の外観性を向上させることができる。また、解除機構で係合部材の両端部の係合を解除し、スライド部材をスライドさせるだけで中皿を中皿収納部から取り出すことができるので、中皿の取り外し時の操作性を向上させることができる。
【図面の簡単な説明】
【００１３】
【図１】本発明の実施の形態を説明するための蓋体が開かれた状態のコンパクト容器の平面図である。
【図２】図１に示すＡ−Ａ間の断面図である。
【図３】図１に示すＢ−Ｂ間の断面図である。
【図４】本実施の形態のスライド部材の平面図である。
【図５】図４に示すＣ−Ｃ間の断面図である。
【図６】図４に示すＤ−Ｄ間の断面図である。
【図７】本実施の形態の押下部を押し下げ操作した時のスライド部材の断面図である。
【図８】本実施の形態の中皿を取り出す時のコンパクト容器の平面図である。
【図９】図８に示すＥ−Ｅ間の断面図である。
【発明を実施するための形態】
【００１４】
以下、本発明に係るコンパクト容器の実施の形態について、図面に基いて説明する。
【００１５】
図１から図３に示すように、本実施形態のコンパクト容器１は、例えばファンデーション等の図示せぬ化粧料及びパフ等の塗布具をそれぞれ持ち運ぶための携帯用の蓋付き容器であり、化粧料が充填された中皿５及び塗布具Ｐをそれぞれ収納する容器本体２と、その容器本体２にヒンジ４を介して連結された開閉可能な蓋体３と、を備えている。このコンパクト容器１は、蓋体３が閉じられると、ヒンジ４の軸線に沿った方向に長い平面視矩形の扁平形状に形成され、また、ヒンジ４の反対側の縁部に配設された係合機構９によって、蓋体３が閉じられた状態で保持することが可能となっている。
【００１６】
なお、本実施形態では、容器本体２において蓋体３が被着される側（図２に示す矢印Ｚ１側）を「上」とし、その反対側（図２に示す矢印Ｚ２側）を「下」とする。また、容器本体２のうちのヒンジ４側（図１に示す矢印Ｙ１側）を「後」とし、その反対側（図１に示す矢印Ｙ２側）を「前」とする。また、前後方向（図１に示すＹ１−Ｙ２方向）に直交する水平方向（ヒンジ４の軸線に沿った方向）のうちの一方側（図１に示す矢印Ｘ１方向）を「左」とし、その反対側（図１に示す矢印Ｘ２方向）を「右」とする。
【００１７】
図１、図２に示すように、上記した容器本体２の内部には、中皿５を脱着可能に収納する中皿収納部２０と、塗布具Ｐを収納する塗布具収納部２１と、がそれぞれ形成されており、これら中皿収納部２０及び塗布具収納部２１は、左右方向（Ｘ１−Ｘ２方向）に並べて配設されている。中皿収納部２０は容器本体２の左側の領域に配設され、塗布具収納部２１は容器本体２の右側の領域に配設されている。
【００１８】
詳しく説明すると、図１から図３に示すように、容器本体２には、平面視矩形の平皿状の外装体６と、その外装体６の内側に嵌合された平面視矩形枠状の内枠体７と、内枠体７の対辺（長辺）間に架け渡されるように配設されて左右方向（Ｘ１−Ｘ２方向）にスライド可能なスライド部材８と、を備えている。
【００１９】
外装体６は、底板部６０の外縁に周壁部６１が全周に亘って立設された構成からなる。底板部６０は、左右方向に長い平面視略矩形状の平板部である。周壁部６１は、平面視矩形環状に形成された壁部であり、底板部６０に対して垂直に立設されている。この周壁部６１には、ヒンジ４を構成するヒンジ凹部４０が設けられた後方側の後壁部６２と、後壁部６２に対向して配設され、係合機構９を構成するプッシュピース９０が装着された前方側の前壁部６３と、左右両側の側壁部６４，６４と、が備えられている。
【００２０】
底板部６０の上面の左側部分には、中皿５の外周面を弾性的に押さえて中皿５を保持する弾性押え部６５、６６が配設されている。底板部６０の上面の前後方向（Ｙ１−Ｙ２方向）の中央位置に配設された第一の弾性押え部６５は、底板部６０の上面に立設されて前後方向に沿って延在する立壁部６５ａと、この立壁部６５ａの両側部からそれぞれ突設された弾性変形可能な一対の弾性片部６５ｂ、６５ｂと、を備えており、これら一対の弾性片部６５ｂ、６５ｂが中皿５の左側の側面に圧接される。底板部６０の上面の前後方向の両側の位置にそれぞれ配設された第二の弾性押え部６６、６６は、底板部６０の上面に立設されて前後方向及び左右方向に沿って平面視Ｌ字状に屈曲された立壁部６６ａと、この立壁部６６ａの右側の側部から突設された弾性変形可能な弾性片部６６ｂを備えており、この弾性片部６６ｂが中皿５の後側或いは前側の側面に圧接されて中皿５が弾性的に保持される。
【００２１】
また、底板部６０の上面の前側部分及び後側部分には、左右方向（Ｘ１−Ｘ２方向）に沿って延設されてスライド部材８のスライド方向を案内する壁状のレール部６７、６７がそれぞれ配設されている。両側のレール部６７、６７は、前記底板部６０における左右方向の中央部分にそれぞれ配置され、互いに対向して平行に延在している。また、レール部６７の上縁の両端部には、凸状のストッパー部６７ａ、６７ｂがそれぞれ突設されている。また、図４、図５に示すように、両側のレール部６７、６７のスライド方向の中間部分には、係合部材１１の両端部（後述する係合部１１２）が係合される被係合部６８、６８がそれぞれ設けられている。この被係合部６８は、レール部６７、６７の下端部に形成された凹部である。
なお、前側のレール部６７は前壁部６３と一体に形成され、後側のレール部６７は後壁部６２と一体に形成されている。
【００２２】
また、前壁部６３の左右方向中央部分には、プッシュピース９０が装着されるプッシュピース装着部９１が形成されている。図５に示すように、このプッシュピース装着部９１には、前方側に向かって下向きに傾斜した傾斜面９２と、この傾斜面９２の上方に配設された本体側爪部９３と、傾斜面９２の下方に形成された前後方向に延在する差込み口９４と、が設けられている。
【００２３】
ここで、プッシュピース９０について説明する。プッシュピース９０は、前後方向に往復移動可能に配設された操作片であり、その概略構成としては、底板部６０上に配置された下壁部９５と、下壁部９５の前方側の縁部から立設された立壁部９６と、立壁部９６から後方側に向けて突出した突出片９７と、を備えている。下壁部９５の後方側部分は、差込み口９４内に挿入されている。立壁部９６の前方側の面には、指等で押圧される押圧面９６ａが形成されている。突出片９７は、弾性変形可能な連結部９８を介して立壁部９６に連結されており、突出片９７の先端は、上記した傾斜面９２に摺接されている。
【００２４】
図１から図３に示すように、内枠体７は、平面視略矩形環状に形成された天壁部７０の下面から垂壁部７１が垂下された構成からなる。前記した天壁部７０の外周部が外装体６の上面に載置されていると共に前記した垂壁部７１が外装体６の周壁部６１の内側に嵌合されており、これにより、内枠体７が外装体６の上面に被着されている。また、天壁部７０の左側の内周縁部には、平面視において保持位置における中皿５の周壁部５０に重なって中皿５の鉛直上方への抜け出しを防止する抜け止め部７０ａが形成されている。
【００２５】
図４から図６に示すように、スライド部材８は、容器本体２の内部を中皿収納部２０と塗布具収納部２１とに区画する隔壁部であり、中皿収納部２０と塗布具収納部２１との間に配設されている。また、スライド部材８は、中皿５に対して係合して中皿５を保持する保持位置（図１に示す位置）と、中皿５に対して塗布具収納部２１側に離間して中皿５の保持を解除する解除位置（図８に示す位置）と、の間でスライド可能となっている。
【００２６】
詳しく説明すると、スライド部材８には、平面視コ字状のスライド部材本体１０と、スライド部材８のスライド方向（Ｘ１−Ｘ２方向）に直交するスライド直交方向（Ｙ１―Ｙ２方向）に延設され、スライド部材８が保持位置に配置された状態において両端部が容器本体２にそれぞれ係合してスライド部材８の解除位置側（Ｘ２側）へのスライドを規制する係合部材１１と、係合部材１１の両端部の容器本体２に対する係合をそれぞれ解除してスライド部材８の解除位置側へのスライドを許容させる解除機構１２と、が備えられている。
【００２７】
スライド部材本体１０は、底板部６０の上方に対向配置された天壁部１０１と、天壁部１０１のスライド直交方向の両側の側縁からそれぞれ垂下された側壁部１０２、１０２と、天壁部１０１の塗布具収納部２１側（Ｘ２側）の側縁から垂下された端壁部１０３と、天壁部１０１の中皿収納部２０側（Ｘ１側）に配設されて中皿５の外周面に当接する当接壁部１０４と、平行する端壁部１０３及び当接壁部１０４の間に配設された中間壁部１０５と、を備えている。
【００２８】
天壁部１０１は、平面視コ字状の板部であり、中間部がスライド直交方向（Ｙ１−Ｙ２方向）に沿って延在し、両端部が中間部の長手方向の両端から中皿収納部２０側（Ｘ１側）に向かってそれぞれ延出している。この天壁部１０１の中間部の中皿収納部２０側の縁部及び天壁部１０１の両端部の互いに対向するスライド直交方向内側の縁部はそれぞれ、中皿５の上方に配設されていると共に中皿５の周壁部５０に沿って延設されている。
【００２９】
また、天壁部１０１の中間部の長手方向の中央部分には、前記長手方向に長い平面視矩形状の開口１０１ａが形成されている。また、天壁部１０１のスライド直交方向両側の側縁部には、スライド方向に延在する段差状の切欠き１０１ｂ、１０１ｂがそれぞれ全長に亘って形成されており、この切欠き１０１ｂ、１０１ｂに内枠体７の天壁部７０の内周部が嵌め込まれている。
【００３０】
側壁部１０２、１０２は、スライド方向に沿って延在する壁部であり、上記したレール部６７の壁面及び内枠体７の垂壁部７１の壁面に沿ってそれぞれ延設されている。これら両側の側壁部１０２、１０２の外面（スライド直交方向の外側の面）には、レール部６７上を摺動可能なガイド部１０６が突設されている。このガイド部１０６は、スライド方向に延在する角条部であり、レール部６７の上面と内枠体７の垂壁部７１の下面との間に嵌め込まれていると共に、レール部６７のストッパー部６７ａ、６７ｂ間に配置されている。
【００３１】
端壁部１０３は、スライド直交方向に沿って延在する壁部であり、両側の側壁部１０２、１０２の間に亘って延設されている。
当接壁部１０４は、スライド直交方向に沿って延在する壁部であり、端壁部１０３と平行に延設されている。この当接壁部１０４は、中皿５を保持するための保持部であり、スライド部材８が保持位置に配置された状態において中皿５の周壁部５０の外面に圧接されている。
【００３２】
中間壁部１０５は、スライド直交方向に沿って延在する壁部であり、端壁部１０３及び当接壁部１０４と平行に延設されている。この中間壁部１０５は、天壁部１０１の開口１０１ａのスライド直交方向の両側にそれぞれ配設されている。この中間壁部１０５は、端壁部１０３及び当接壁部１０４よりも高さ（上下方向の寸法）が低くなっており、中間壁部１０５の下面は側壁部１０２の下面と略面一に形成されている。
【００３３】
係合部材１１は、外装体６の底板部６０上のうち、端壁部１０３と当接壁部１０４との間の位置に配置された部材であり、その概略構成としては、スライド直交方向に間隔をあけて並設された一対の可動部１１０、１１０と、これら一対の可動部１１０、１１０の間に介装された付勢部１１１と、を備えている。
【００３４】
可動部１１０は、スライド直交方向に延設された角柱状のロッド部であり、中間壁部１０５及び側壁部１０２の各下面と底板部６０の上面との間に配置されている。これら一対の可動部１１０、１１０のスライド直交方向外側（付勢部１１１側の反対側）の端部には、容器本体２の被係合部６８、６８に係合する係合部１１２、１１２がそれぞれ設けられている。係合部１１２は、可動部１１０の端面の下部からスライド直交方向に外側に向かって突出された凸部であり、被係合部６８の内側に嵌合されている。
【００３５】
また、一対の可動部１１０、１１０の上面には、スライド直交方向の外側に向かって下向きに傾斜した傾斜面１１５、１１５がそれぞれ形成されている。詳しく説明すると、一対の可動部１１０、１１０の上面には、スライド方向に延在する溝部１１３がそれぞれ形成されている。この溝部１１３は、底面１１４側に向かって漸次縮幅された断面視略台形状に形成されており、底面１１４の付勢部１１１側の側縁から付勢部１１１側に向かって斜め上方に延在する傾斜面１１５と、底面１１４の係合部１１２側の側縁から係合部１１２側に向かって斜め上方に延在する傾斜面１１６と、を有している。
【００３６】
付勢部１１１は、一対の可動部１１０、１１０をスライド直交方向の外側に向けてそれぞれ付勢するバネ部である。詳しく説明すると、付勢部１１１は、スライド直交方向に沿った縦断面視において波形状に屈曲した形状の板部であり、スライド直交方向に弾性変形可能となっている。この付勢部１１１のスライド直交方向の一端は、一方の可動部１１０の端面に連結され、付勢部１１１のスライド直交方向の他端は、他方の可動部１１０の端面に連結されており、付勢部１１１は、一対の可動部１１０、１１０と一体に形成されている。
【００３７】
解除機構１２は、上記した一対の可動部１１０、１１０を付勢部１１１の付勢力（弾性力）に抵抗しながらスライド直交方向の内側にそれぞれ移動させる機構であり、押し下げ操作可能な押下部１２０を備えている。この押下部１２０は、スライド直交方向に長い平面視矩形状の部材であり、スライド部材本体１０の天壁部１０１の開口１０１ａの内側に嵌め込まれ、係合部材１１の付勢部１１１の上方に配設されている。
【００３８】
押下部１２０のスライド直交方向の両端部には、下向きに突出した突部１２１、１２１がそれぞれ突設されている。この突部１２１は、押下部１２０の押し下げ操作に伴い可動部１１０の付勢部１１１側の傾斜面１１５を押圧する押圧部であり、傾斜面１１５の上に配設されている。この突部１２１の下面は、縦断面視円弧状に形成されており、傾斜面１１５に対して摺動可能となっている。
【００３９】
また、押下部１２０のスライド直交方向の両側の端面には、スライド直交方向の外側に向かって突出した爪部１２２、１２２がそれぞれ突設されている。この爪部１２２は、スライド部材本体１０に対して下方から係止されて押下部１２０が抜け出すのを規制する係止部であり、平面視において中間壁部１０５の両側にそれぞれ配設されている。
【００４０】
図１に示すように、蓋体３は、天壁部３０の外縁に周壁部３１が全周に亘って垂下された構成からなる。天壁部３０は、横方向に長い平面視略矩形状の平板部であり、容器本体２の上方に配置されている。この天壁部３０の下面には、鏡体３２が接合されている。また、天壁部３０の下面には、プッシュピース９０の本体側爪部９３にアンダーカット嵌合される蓋側爪部９９が突設されている。この蓋側爪部９９は、天壁部３０の下面のうち、ヒンジ４側の反対側であって左右方向の中央の位置に配設されている。
【００４１】
周壁部３１は、平面視矩形環状に形成された壁部であり、天壁部３０に対して垂直に形成されている。前記した周壁部３１の後方側の後壁部３３にはヒンジ軸壁４１が垂下されている。ヒンジ軸壁４１は、上記したヒンジ凹部４０の内側に配置されており、このヒンジ軸壁４１の両端部とヒンジ凹部４０とが軸部４２を介して連結されることでヒンジ４が形成されている。
【００４２】
次に、上記した構成からなるコンパクト容器１の作用について説明する。
【００４３】
コンパクト容器１は使用しないときには、蓋体３が容器本体２に被せられて蓋体３が閉じられている（図示しない）。このとき、係合機構９の蓋側爪部９９が本体側爪部９３にアンダーカット嵌合されており、蓋体３の閉状態が保持されている。これにより、蓋体３の不用意な開動が防止される。
【００４４】
コンパクト容器１を使用する際には、プッシュピース９０の押圧面９６ａを押圧してプッシュピース９０を底板部６０の上面に沿って後方側に移動させる。このとき、連結部９８が弾性変形して突出片９７が傾斜面９２上を摺動して押し上げられる。これにより、前記した突出片９７によって蓋側爪部９９が押し上げられ、蓋側爪部９９が本体側爪部９３から外れる。その後、蓋体３をヒンジ４の軸部４２回りに回動させることで、蓋体３が開けられる。
【００４５】
また、このとき、スライド部材８が保持位置に配置されており、係合部材１１の両側の係合部１１２、１１２が被係合部６８、６８にそれぞれ嵌合されている。これにより、スライド部材８の解除位置側へのスライドが規制され、スライド部材８が保持位置で固定される。その結果、スライド部材本体１０の当接壁部１０４が中皿５の周壁部５０の外面に塗布具収納部２１側（Ｘ２側）から押し付けられ、中皿５が、当接壁部１０４と第一の弾性押え部６５の一対の弾性片部６５ｂ、６５ｂとの間に挟持されると共に前後方向両側の第二の弾性押え部６６、６６の弾性片部６６ｂ、６６ｂの間に挟持され、中皿収納部２０内に保持されている。なお、ガイド部１０６、１０６の中皿収納部２０側の端面がレール部６７の中皿収納部２０側のストッパー部６７ａに係止されることで、スライド部材８の保持位置が位置決めされ、これにより、前記した係合部１１２、１１２が被係合部６８、６８内に確実に嵌合されている。
【００４６】
また、上記した中皿５を交換する際には、係合部材１１の両端部の容器本体２に対する係合を解除機構１２によって解除する。具体的に説明すると、図７に示すように、押下部１２０の上面を押圧して押下部１２０を押し下げ操作する。これにより、突部１２１、１２１が一対の可動部１１０、１１０の傾斜面１１５、１１５を押圧する。このとき、突部１２１、１２１が、傾斜面１１５、１１５上を摺動しながら、一対の可動部１１０、１１０をスライド直交方向の内側に向かってそれぞれ押圧する。これにより、一対の可動部１１０、１１０が付勢部１１１の付勢力（弾性力）に抵抗して、付勢部１１１を弾性変形させながらスライド直交方向の内側に向かってそれぞれ移動する。その結果、一対の可動部１１０、１１０の両端部にそれぞれ設けられた係合部１１２、１１２が容器本体２の被係合部６８、６８から外れて、係合部材１１の容器本体２に対する係合が解除され、スライド部材の解除位置側へのスライドが許容される。
【００４７】
続いて、図８、図９に示すようにスライド部材８を解除位置側にスライドさせる。具体的に説明すると、押下部１２０を押し下げたままスライド部材８を解除位置側にスライドさせる。これにより、係合部１１２、１１２が容器本体２の被係合部６８、６８の位置からずれて再係合されなくなる。そして、スライド部材８を更に解除位置側にスライドさせる。これにより、スライド部材本体１０の当接壁部１０４が中皿５の周壁部５０の外面から離間する。その結果、スライド部材８による中皿５の保持が解除され、中皿５は、塗布具収納部２１側にスライド可能となる。また、スライド部材８をスライドさせる際、両側のガイド部１０６、１０６がそれぞれレール部６７、６７上を摺動することで、スライド部材８のスライド方向が案内される。また、ガイド部１０６、１０６の塗布具収納部２１側の端面をレール部６７の塗布具収納部２１側のストッパー部６７ｂに係止させることで、スライド部材８のスライド操作の終端位置（解除位置）が位置決めされる。
【００４８】
次に、中皿５を中皿収納部２０から取り出す。具体的に説明すると、まず、中皿５を、平面視において内枠体７の抜け止め部７０ａ及びスライド部材本体１０の天壁部１０１から外れた位置までスライドさせ、その後、中皿５を容器本体２内から取り出す。これにより、内枠体７やスライド部材本体１０に干渉することなく、中皿５を容易に取り出すことができる。
【００４９】
次に、新しい中皿５を中皿収納部２０に収納させる。具体的に説明すると、容器本体２内のうち、内枠体７の抜け止め部７０ａとスライド部材本体１０の天壁部１０１との間の位置に新しい中皿５を投入し、その後、中皿５を第一の弾性押え部６５側にスライドさせて中皿収納部２０内に配置させる。これにより、内枠体７やスライド部材本体１０に干渉することなく、中皿５を中皿収納部２０内に容易に収納させることができる。
【００５０】
次に、スライド部材８を保持位置までスライドさせ、係合部材１１の両端部（係合部１１２、１１２）を容器本体２にそれぞれ係合させる。具体的に説明すると、スライド部材８を中皿収納部２０側に向けてスライドさせて保持位置に配置させる。これにより、スライド部材８の当接壁部１０４が中皿５の周壁部５０の外面に押し付けられて中皿５が保持される。このとき、付勢部１１１による弾性によって一対の可動部１１０、１１０がそれぞれスライド直交方向外側に押し出され、両端の係合部１１２、１１２がそれぞれ被係合部６８、６８内に嵌合する。これにより、スライド部材８の解除位置側へのスライドが規制され、スライド部材８が保持位置で保持される。またこのとき、ガイド部１０６、１０６の中皿収納部２０側の端面をレール部６７の中皿収納部２０側のストッパー部６７ａに係止させることで、スライド部材８が保持位置に位置決めされ、係合部１１２、１１２を確実に被係合部６８、６８に嵌合させることができる。
【００５１】
上記したコンパクト容器１によれば、容器本体２の底板部６０に開口を形成することなく、中皿５を中皿収納部２０から取り外すことができるため、コンパクト容器１の外観性を向上させることができる。また、解除機構１２で係合部材１１の両端部の係合を解除し、スライド部材８をスライドさせるだけで中皿５を中皿収納部２０から取り出すことができるので、中皿５の取り外し時の操作性を向上させることができる。
【００５２】
特に上記したコンパクト容器１によれば、係合部材１１が、被係合部６８、６８に係合可能な係合部１１２、１１２を備えた一対の可動部１１０、１１０と、それら可動部１１０、１１０間に介装された付勢部１１１と、を備え、解除機構１２が、可動部１１０、１１０の上面の傾斜面１１５、１１５を押圧する突部１２１、１２１が設けられた押し下げ操作可能な押下部１２０を備えているため、係合部材１１の容器本体２に対する係合を容易に解除することができ、中皿５を取り出す操作を極めて容易に行うことができる。
【００５３】
以上、本発明に係るコンパクト容器の実施の形態について説明したが、本発明は上記した実施の形態に限定されるものではなく、その趣旨を逸脱しない範囲で適宜変更可能である。
例えば、上記した実施の形態では、中皿５が弾性押え部６５、６６によって弾性的に押えられて保持されているが、本発明は、中皿５が弾性的に押えられていなくてもよく、中皿５の周りに配設された剛壁によって中皿５が保持されていてもよい。
【００５４】
また、上記した実施の形態では、容器本体２の底面および蓋体３の上面がそれぞれ平らな平面視矩形状のコンパクト容器１について説明しているが、本発明に係るコンパクト容器の形状は適宜変更可能である。例えば、コンパクト容器の平面視形状が円形や三角形、六角形などであってもよい。また、容器本体の底面および蓋体の上面のうちの少なくとも一方がドーム状に膨出した形状であってもよい。
【００５５】
また、上記した実施の形態では、スライド部材８が平面視コ字状に形成されているが、スライド部材の形状は適宜変更可能であり、例えば、平面視矩形状のスライド部材であってもよい。
【００５６】
また、上記した実施の形態では、プッシュピース９０を用いた係合機構９が設けられているが、本発明は、容器本体２と蓋体３との閉状態を保持する係合機構は適宜変更可能である。
【００５７】
また、上記した実施の形態では、押下部１２０を押し下げ操作することで一対の可動部１１０、１１０を移動させて係合部材１１の容器本体２に対する係合を解除する係合部材１１及び解除機構１２について説明しているが、本発明は他の構成の係合部材や解除機構に変更することも可能である。
なお、中皿５としては、各種の内蓋（ヒンジ蓋など）が備えられたレフィル容器を採用してもよい。
【００５８】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００５９】
１  コンパクト容器
２  容器本体
３  蓋体
４  ヒンジ
５  中皿
８  スライド部材
１１  係合部材
１２  解除機構
２０  中皿収納部
２１  塗布具収納部
６８  被係合部
１１０  可動部
１１１  付勢部
１１２  係合部
１１５  傾斜面
１２０  押下部
１２１  突部
【図１】
0005785783.tif 000002
【図２】
0005785783.tif 000003
【図３】
0005785783.tif 000004
【図４】
0005785783.tif 000005
【図５】
0005785783.tif 000006
【図６】
0005785783.tif 000007
【図７】
0005785783.tif 000008
【図８】
0005785783.tif 000009
【図９】
0005785783.tif 000010